(57)【要約】【課題】      階段での昇降を楽にする昇降補助機構を付設すると共に、購入品をレジ迄運ぶ買入籠の中の購入品を、持参の持帰籠やバッグに移し入れる迄の手間が大幅に省け、且つ、レジ袋も不要化出来る様にしたショッピングカートを提供する。【解決手段】  荷台となる車輪付きの底フレームの基端側に、ハンドル付きの立上フレームを連結したものに於いて、底フレームの上に載せた、購入品の持ち帰り用の持帰籠がズレ動くのを防ぐズレ止用部材を付設し、更に、持帰籠の上に積み重ねた、購入品をレジ迄運ぶ買入籠のズレ止手段を付設したことを特徴とする。  又、階段用の昇降補助機構を付設したことも特徴とする。  更に、持帰籠と共に、又は、持帰籠の代用となる、バッグを付属させたことも特徴とする。【選択図】    図３
2005186656.tif 000002
【特許請求の範囲】
【請求項１】
荷台となる車輪付きの底フレームの基端側に、ハンドル付きの立上フレームを連結したものに於いて、
底フレームの上に載せた、購入品の持ち帰り用の持帰籠がズレ動くのを防ぐ為の、ズレ止用部材を付設したことを特徴とするショッピングカート。
【請求項２】
持帰籠のズレ止用部材は、前後ズレ止材と、左右ズレ止材との組合わせから成り、
略コ字形のフレーム状に形成された、前後ズレ止材は、持帰籠を載せる両脚部分の各自由端を支点として上下に回動自在に底フレームに連結し、先端側は上向きに折曲してズレ止用のストッパーを成形させており、
略コ字形のフレーム状に形成された、左右ズレ止材は、持帰籠を挟み込んで左右ズレを防ぐ両脚部分の各自由端を支点として上下に回動自在に立上フレームの所定高さ位置に連結されていることを特徴とする請求項１記載のショッピングカート。
【請求項３】
底フレームの上に載置した持帰籠の上に、購入品をレジ迄運ぶ為に店に常備された買入籠を、積み重ねた状態で、買入籠がズレ動くのを防ぐ為の、買入籠ズレ止手段を付設したことを特徴とする請求項１記載のショッピングカート。
【請求項４】
買入籠ズレ止手段は、略下向きコ字形を成して、その両脚端を支点として回動自在に、持帰籠の上部に取付けた提げ手と、この提げ手を外向きに傾けた傾斜位置に固定させる為の、提げ手固定部材との組合わせから成り、傾斜位置で固定された提げ手が買入籠を抱え込む様に構成されていることを特徴とする請求項３記載のショッピングカート。
【請求項５】
底フレームを、連結軸を介して、立上フレームに折り重ね可能に連結し、且つ、立上フレームは、その上半部と下半部とをピン連結することにより２つ折り可能にすると共に、立上フレームを使用状態に固定する為の固定手段を付設したことを特徴とする請求項１記載のショッピングカート。
【請求項６】
底フレームは、全体として略コ字形のフレーム状に形成されており、夫々が略コ字形のフレーム状に形成された前半部と後半部とをピン連結することにより、２つ折り可能に構成したことを特徴とする請求項１記載のショッピングカート。
【請求項７】
立上フレームの手前側に、階段での登り降りを楽にする為の昇降補助機構を組付けたことを特徴とする請求項１乃至６のいずれかに記載のショッピングカート。
【請求項８】
昇降補助機構は、階段の各角部に引掛ける為のラック状の踏み面を備えて、隣り合う角部間に跨座させ得る長さのキャタピラを、フレーム部材に組込んだ構成を備えており、
フレーム部材は、その下端側を底フレームにピン連結し、上端側はリンク機構を介して立上フレームにピン連結することにより、昇降補助機構を、立上フレームに対して所定の角度に傾斜させた使用位置と、立上フレームに沿わせた折畳位置とに変位させ、且つ、夫々の位置で固定させられる様に構成したことを特徴とする請求項７記載のショッピングカート。
【請求項９】
底フレームの上に載せて用いる、買い物用のバッグが付属されており、このバッグには、立上フレームに係脱自在に掛止させる為の、掛止用部材を取付けたことを特徴とする請求項１記載のショッピングカート。
【発明の詳細な説明】
【技術分野】
【０００１】
本発明は、階段での昇降を楽にする為の昇降補助機構を付設すると共に、購入品をレジ迄運ぶ為に店に常備された買入籠の中の購入品を、持参の持帰籠に移し入れる迄の手間が大幅に省け、且つ、レジ袋も不要化出来る様に工夫されたショッピングカートに関する。
【背景技術】
【０００２】
本願発明者は、かなり以前から、階段での登り降りを楽にする為の昇降補助機構を付設した、牽引ハンドル付きの簡易な運搬車の着想を得て、以後継続的にその開発活動を行って来た。その一連の成果の夫々は、特許出願済みである。
例えば、「特開平７−１４９２４２：段差対応可能な荷車（特許文献１）」、「特願２００２−２８８７９７：キヤタピラ付きの階段昇降装置」等が、それである。
【０００３】
上記の特許文献１に記された発明のものは、車輪付きの荷台の手前側の端に立設した、下向きのコ字形フレーム状に形成した牽引ハンドルの手前側に、階段の隣接する踏み面間に跨座させ得る長さのキャタピラを取付けてあり、その踏み面を、ラック状の凹凸面に形成している。
荷車が階段に差し掛かったら、牽引ハンドルを手前側に傾斜させると、キャタピラが、隣接する踏み面間に跨座した状態になる。
この状態で牽引ハンドルを引っ張る（又は押す）と、ラック状の凸部が各踏み面の前縁の角部に順次引っ掛かることによって、キャタピラが転動し、重い荷車を、階段の各角部に沿ってガタ付き無くスムーズに、楽に牽引することが出来る。
【０００４】
次に、「特願２００２−２８８７９７」の発明のものは、上記のキャタピラの下端側を荷台にピン連結し、上端側はリンク機構を介して、牽引ハンドルにピン連結させている。
キャタピラの使用時には、リンク機構を展開させて、手前側に傾斜させると、無理の無い楽な姿勢で牽引ハンドルを引っ張ることが出来る。
そして、キャタピラの不使用時には、リンク機構を折り畳めば、邪魔になるキャタピラを牽引ハンドルに沿わせた状態に引っ込めることが出来る。
又、リンク機構は、展開状態と、折畳状態とを、夫々確実に固定させる為の固定機能を備えている。
【０００５】
【特許文献１】「特開平７−１４９２４２：段差対応可能な荷車」
【発明の開示】
【発明が解決しようとする課題】
【０００６】
上記の一連の先行発明は、専ら、階段昇降用の補助機構の部分の開発に焦点が置かれていた。
その為、荷車の使い方としては、運搬すべき荷物を、単に、荷台の上に載せて運ぶこと迄しか想定していなかった。
その使い道としては、上記の便利な機能を備えているので、主婦に必須の日常の仕事である、スーパーマーケット等での買い物にも、その使用者が増えつつある。
【０００７】
そこで、本発明の目的は、階段昇降装置付きの荷車の、上記の優れた機能もさることながら、荷車の本来の使い方そのものに就いても、更に発想を展開させて、スーパーマーケット等で、購入品を、レジ迄運ぶ為の買入籠から、持参した持帰籠に移し入れる迄の手間を大幅に省くことが出来、且つ、レジ袋を不要化出来る等の、新たな特徴も付加させたショッピングカートを提供するにある。
【課題を解決するための手段】
【０００８】
上記の目的を達成する為の、本発明によるショッピングカートは、
荷台となる車輪付きの底フレームの基端側に、ハンドル付きの立上フレームを連結したものに於いて、
底フレームの上に載せた、購入品の持ち帰り用の持帰籠がズレ動くのを防ぐ為の、ズレ止用部材を付設したことを特徴とする。
そして、持帰籠のズレ止用部材は、
前後ズレ止材と、左右ズレ止材とを組合わせて構成し、略コ字形のフレーム状に形成した前後ズレ止材は、持帰籠を載せる両脚部分の各自由端を支点として上下に回動自在に底フレームに連結し、先端側は上向きに折曲してズレ止用のストッパーを成形させ、又、略コ字形のフレーム状に形成した左右ズレ止材は、持帰籠を挟み込んで左右ズレを防ぐ両脚部分の各自由端を支点として上下に回動自在に立上フレームの所定高さ位置に連結するとよい。
又、底フレームの上に載せた持帰籠の上に、購入品をレジ迄運ぶ為に店に常備された買入籠を、積み重ねた状態で、買入籠がズレ動くのを防ぐ為の、買入籠ズレ止手段を付設したことも特徴とする。
この買入籠ズレ止手段は、略下向きコ字形を成して、その両脚端を支点として回動自在に、持帰籠の上部に取付けた提げ手と、この提げ手を外向きに傾けた傾斜位置に固定させる為の、提げ手固定部材とで構成し、傾斜位置で固定された提げ手が買入籠を抱え込む様にするとよい。
更に、底フレームは、連結軸を介して、立上フレームに折り重ね可能に連結し、且つ、立上フレームは、その上半部と下半部とをピン連結することにより２つ折り可能にすると共に、立上フレームを使用状態に固定する為の固定手段を付設したことも特徴とする。
そして、底フレームは、全体として略コ字形のフレーム状に形成されており、夫々が略コ字形のフレーム状に形成された前半部と後半部とをピン連結することにより、２つ折り可能に構成したことも特徴とする。
更に、立上フレームの手前側に、階段での登り降りを楽にする為の昇降補助機構を組付けたことも特徴とする。
この昇降補助機構は、階段の各角部に引掛ける為のラック状の踏み面を備えて、隣り合う角部間に跨座させ得る長さのキャタピラを、フレーム部材に組込んだ構成を備えており、
フレーム部材は、その下端側を底フレームにピン連結し、上端側はリンク機構を介して立上フレームにピン連結することにより、昇降補助機構を、立上フレームに対して所定の角度に傾斜させた使用位置と、立上フレームに沿わせた折畳位置とに変位させ、且つ、夫々の位置で固定させられる様に構成するとよい。
又、底フレームの上に載せて用いる、買い物用のバッグが付属されており、このバッグには、立上フレームに係脱自在に掛止させる為の、掛止用部材を取付けたことも特徴とする。
【発明の効果】
【０００９】
本発明によるショッピングカートは、以下に列挙した如き実用上の優れた特長を備えている。
（ａ）底フレームの上に載せた、購入品の持ち帰り用の持帰籠が、カートからズレ落ちてしまう恐れを、付設のズレ止用部材によって確実に無くせる。
（ｂ）カートの上の持帰籠の上に、更に、購入品をレジ迄運ぶ為の買入籠を、ズレ止手段よりズレ止した状態で積み重ねることが出来る。
（ｃ）レジでは、購入品を買入籠から取り出して金額をレシートに打ち込んだ後、お買上品を、客が持参した持帰籠に直接入れてあげることが出来る。
（ｄ）その為、店側は、買上品を入れる為の“レジ袋”を、客に一々手渡す手間と経費を省け、然も、資源浪費と、ゴミ処分に伴う問題を軽減出来る。
（ｅ）一方、客側は、購入品を一々レジ袋に移し入れる手間と、持ち帰ってから一々レジ袋から取り出したうえ、袋を処分する手間も省ける。
（ｆ）カートに付設した昇降補助機構によって、重い荷物を積んでいても至極スムーズに楽に、階段を登り降り出来る。
（ｇ）カートは、殆どワンタッチ操作で、コンパクトに折り畳め、且つ、展開させられる。
（ｈ）持帰籠の代わりに、折畳自在の買物用バッグを使えば、嵩張らなくて携行し易い。
（ｉ）又、購入品が持帰籠に入り切らない時に役立つ。
（ｊ）バッグは、付設の掛止用部材によって、簡単迅速にカートに着脱出来る。
【発明を実施するための最良の形態】
【００１０】
以下に、本発明の一実施例に就いて、図１〜図１１を参照しながら説明する。
図１に、背面側斜視図として示した、この実施例のショッピングカートＡの概略の構成は、前輪１及び後輪２が取付けられて、荷台となる底フレーム１０の基端側に、ハンドル付きの立上フレーム２０を連結し、立上フレーム２０の手前側には、階段での登り降りを楽にする為の昇降補助機構３０を組付けている。
【００１１】
このショッピングカートＡを、スーパーマーケット等の店内で使う時には、図２に示した様に、先ず、底フレーム１０の上に、購入品の持ち帰り用の、自宅から持参した持帰籠Ｂを載せる。
そして、図３に示した様に、この持帰籠Ｂの上に、更に、購入品をレジ迄運ぶ為に店に常備された買入籠Ｃを積み重ねる。
【００１２】
そして、図１〜図３に示した様に、底フレーム１０及び立上フレーム２０には、持帰籠Ｂのズレ動きを防ぐ為の、ズレ止用部材４０を取付けている。
又、図４に示した様に、持帰籠Ｂには、その上に積み重ねた買入籠Ｃのズレ動きを防ぐ為の、買入籠ズレ止手段５０を取付けている。
【００１３】
次に、上記の各構成部材の具体的な構成に就いて、順次説明する。
先ず、底フレーム１０は、図７に示した様に、その前後方向に２つ折り可能に構成されている。
即ち、底フレーム１０は、図１、図２、及び図５に示した様に、夫々略コ字形のフレーム状に形成された前半部１１と、後半部１２との各両脚部分を、連結ピン１３を介して互いに連結させている。
この連結ピン１３の挿通孔は、図５に示した様に、前半部１１では両脚の自由端に、後半部１２では両脚の先端から幾分隔てた個所に夫々設けている。
【００１４】
そして、後半部１２の両脚の自由端は、下向きコ字形のフレーム状を成す立上フレーム２０の、両脚部分の各下端から幾分隔てた上方個所に、連結ピ１４を用いて連結させている。
立上フレーム２０の両脚の各下端部に設けた軸孔（図示略）には、後輪２の車軸３を挿通させている。
【００１５】
更に、図５に示した様に、前半部１１の両脚の自由端から幾分隔てた個所と、車軸３との間には、連動用バー１５をピン連結状態で跨設している。
その為、後半部１２の、ハンドルとして機能する先端部分１２ａを握って上下動させるだけで、底フレーム１０を、前述の如く２つ折状に折り畳んだり、使用状態に展開させることが出来る。
【００１６】
次に、立上フレーム２０は、図１、図２に示した様に、夫々が下向きの略コ字形に形成された上半部２１と、下半部２２とを、連結ピン２３を介して連結させることにより、上下方向に２つ折り可能にしている。
上半部２１の上端の水平バー状の部分は、ショッピングカートＡのハンドルの役割を果たすので、この部分にスポンジゴム製でチューブ状のグリップ２４を被せている。
【００１７】
折畳式の立上フレーム２０は、ショッピングカートＡの使用時には、図１に示した展開状態にシッカリ固定させて置く必要があるので、図１、図６に示した様に、その固定手段６０を付設している。
この実施例の固定手段６０は、立上フレーム２０の下半部２２の両脚間に、横架バー６１を跨設し、上半部２１の両脚の夫々に、横架バー６１に係脱自在に掛止させる為のフック部材６２を、止ピン６３の周りに回動自在に取付けた構成を備えている。止ピン６３には、掛止側への回動付勢用のつる巻バネ６４を組付けている。
左右１組のフック部材６２，６２間には、それ等を連動して回動させる為の、バー状ハンドル６５（図１参照）を架設している。
【００１８】
更に、底フレーム１０には、その上に載せた持帰籠Ｂがズレ動くのを防ぐ為の、前述したズレ止用部材４０を付設している。
この実施例のズレ止用部材４０は、図１、図２に示した様に、前後ズレ止材４１と、左右ズレ止材４２とで構成している。
【００１９】
両ズレ止材４１及び４２は、いずれも略コ字形のフレーム状に形成されている。
そして、前後ズレ止材４１は、持帰籠Ｂを載せる両脚部分の各自由端をＬ形に折曲したうえで、底フレーム１０の前半部１１に設けた挿込孔（図示略）に遊嵌させることによって、この挿込孔の周りに上下に回動自在にしている。
又、前後ズレ止材４１の先端部分を上向きに折曲して、ズレ止用のストッパーとしている。
【００２０】
一方、左右ズレ止材４２は、その両脚の各先端部分を、対向状にＬ形に折曲したうえで、この折曲部分を立上フレーム２０の両脚の所定高さ位置に設けた挿込孔（図示略）に遊嵌させている。
これによって、左右ズレ止材４２も、上記の挿込孔の周りに上下に回動自在にしている。
【００２１】
次に、この実施例の持帰籠Ｂは、図２，図４に示した構造を備えている。
即ち、持帰籠Ｂの籠本体４には、蓋５がヒンジを介して取付けられている。
ショッピングの際には、ショッピングカートＡの底フレーム１０上に、上記の如くズレ止状態で載置した持帰籠Ｂが、店に常備の買入籠Ｃを載せて置く為の“置台”として役立つことになる。
【００２２】
そこで、持帰籠Ｂには、その上に載置した買入籠Ｃがズレ動くのを防ぐ為の、買入籠ズレ止手段５０を付設している。
この実施例の買入籠ズレ止手段５０は、図３、図４に示した様に、略下向きコ字形に形成されて、夫々の両脚端を籠本体４の左右の上縁部に、幾分かの間隔を隔てて対置状にピン連結させた１組の提げ手５１，５１を、その本体としている。  そして、図の左側の提げ手５１を、図示の様に、外向きに傾けた傾斜位置に固定させて、持帰籠Ｂ上に載置した買入籠Ｃを抱え込める様にする為の、提げ手固定部材５２を、持帰籠Ｂの蓋５に取付けている。
【００２３】
この実施例の提げ手固定部材５２は、図４に示した様に、蓋５の上面の隅角個所に組付けた、小帯板片状のスライド板５２から成る。
スライド板５２は、図４中に実線で示した様に、蓋５の左右の両外側に突出させて、提げ手５１を傾斜位置に掛止させる突出位置と、図中に仮想線で示した
様に、蓋５の内側に引っ込ませて、上記の掛止状態を解く引込位置との２位置に切り替えられる様に、図示を省いたガイドレールに嵌め込まれている。
【００２４】
次に、ショッピングカートＡを、階段個所でも楽に昇降させられる様にする為の、前述の昇降補助機構３０に就いて説明する。
この実施例の昇降補助機構３０の基本的な構成は、一部の設計変更個所を除けば、冒頭に記した、本願発明の先願発明である「特願２００２−２８８７９７：キヤタピラ付きの階段昇降装置」と同じである。
【００２５】
即ち、この昇降補助機構３０は、図１，図８に示した様に、立上フレーム２０の手前側の下端個所にピン連結状態で組付けられており、図１に示した様に、その不使用時に、立上フレーム２０に沿わせた折畳位置と、図８に示した様に、使用時に、立上フレーム２０の手前側に傾斜させた展開位置との、各位置に夫々固定させることが出来る。
【００２６】
左右１組の昇降補助機構３０の概略の構造は、図９に示した様に、階段の各角部ａに引掛ける為のラック状の踏み面を備えて、隣り合う角部ａ，ａ間に跨座させ得る長さのキャタピラ３１を、図８に示した様に、フレーム部材３２に組込んでいる。
そして、フレーム部材３２の下端側を、後輪２の車軸３に遊嵌させ、上端側は、リンク機構３３を介して、立上フレーム２０の横架バー６１に連結させている。
リンク機構３３は、ワンタッチ操作で、上記の折畳位置と展開位置とに、交互に切り換え、且つ、夫々の位置に固定させる機能を備えている。
【００２７】
次に、ショッピングカートＡには、買い物用のバッグＤを付属させているので、その一実施例に就いて、図１０、図１１を参照しながら説明する。
図１１に示した様に、底フレーム１０の上に載せて用いる、蓋付きのこのバッグＤには、図１０に示した様に、その背面側の四隅個所の夫々に、立上フレーム２０の両脚部分に係脱自在に掛止させる為の、掛止用部材７０を取付けている。
この実施例の掛止用部材７０は、図示の様に、立上フレーム２０の両脚部分に係脱自在に括り付ける為の、左右１組のスナップ付きの固定バンドから成る。
【００２８】
次に、ショッピングカートＡの使い方に就いて、各図を参照しながら説明する。
食品・衣類等の日常生活用品を、スーパーマーケット等に買い出しに行く時には、図７に示した様にコンパクトに折り畳んだショッピングカートＡと、持帰籠Ｂと、必要に応じて、バッグＤとを、マイカーのトランクルームに入れて置く。
【００２９】
店に着いたら、ショッピングカートＡを、図１に示した使用状態に展開させる。それには、立上フレーム２０の上半部２１のグリップ２４を握って、連結ピン２３の周りに上向きに停止する迄回動させる。
すると、固定手段６０のフック部材６２が、自づから横架バー６１に引っ掛って、展開状態が確実に固定される。
更に、底フレーム１０の後半部１２の先端部分１２ａを握って、前向きに押し倒すと、折り畳まれていた底フレーム１０も、一挙に使用状態に展開される。
【００３０】
それと同時に、ショッピングカートＡの折畳時に、底フレーム１０と立上フレーム２０との間に自づから畳み込まれていた（図７参照）、前後ズレ止材４１及び左右ズレ止材４２が自づから、図１、図２に示した前倒し状態の使用位置にもたらされる。
かくて、ショッピングカートＡを使用する為の、前準備が一挙に整う。
【００３１】
そこで、持参した持帰籠Ｂを、底フレーム１０上の前後ズレ止材４１の上に載せると、図２から容易に理解される様に、左右ズレ止材４２と共同して、持帰籠Ｂが、移動中のショッピングカートＡからズレ落ちない様に、確実に保持してくれる。
【００３２】
次に、このズレ止された持帰籠Ｂの上に、購入品をレジ迄運ぶ為に店に常備された買入籠Ｃを、確実なズレ止状態で積み重ねる。
それには、図４に示した様に、持帰籠Ｂの蓋５に組付けてある小帯板状の１組のスライド板５２の夫々を、蓋５の外側にはみ出さない様に、一旦、仮想線で示した引っ込位置にスライドさせて置く。
【００３３】
然かる後、持帰籠Ｂの１組の提げ手５１，５１の夫々を、上向きに持ち上げて、実線で示した様に外向き側に半ば傾けた傾斜位置にもたらしたうえで、蓋５の内側に引っ込めて置いたスライド板５２を、蓋５の外側にはみ出た位置にスライドさせる。
すると、前側の提げ手５１を、図４に示した傾斜位置に固定させることが出来る。又、後側の提げ手５１は、立上フレーム２０に傾斜状態で寄り掛からせることが出来る。
【００３４】
そこで、買入籠Ｃを、図３，図４に示した様に、１組の提げ手５１，５１の内側に納めた状態で持帰籠Ｂの上に積み重ねると、図から容易に理解される様に、買入籠Ｃも、確実にズレ止めされる。  
【００３５】
かくして、ショッピングカートの使用準備は、上述のいささか込み入った説明文とは異なって、至極、簡単・迅速に終えることが出来る。
予定した買い物を済ませたら、持帰籠Ｂの上に買入籠Ｃが載っているショッピングカートＡを、店の“レジ”迄移動させる。
【００３６】
そこで、客は、購入品を入れた買入籠Ｃをレジ台の上に載せ、更に、その隣に、持参の空の持帰籠Ｂを載せる。
すると、店員は、レシートに金額を打込済のお買上品を、従来の様に、別に用意した空の買入籠Ｃに移し入れるのではなくて、空の持帰籠Ｂに、直接移し入れてくれる。
【００３７】
この様にすれば、店側は、購入品の持ち帰り用の“レジ袋”を、客の一人づつに一々手渡す手間と経費を省くことが出来る。
然も、ゴミの排出量と、レジ袋の材料になる石油資源の浪費を減らすことも出来る。  
【００３８】
一方、客側は、従来の様に、買入籠Ｃの中入れられた精算済みの購入品を、店が持ち帰り用に提供してくれたレジ袋の中に移し入れるという、面倒な手間と時間を完全に省くことが出来る。
そして、購入品が持帰籠Ｂに入り切らなかった時には、持参したバッグＤに直接入れてもらえばよい。
【００３９】
その場合、購入品を詰めたバッグＤは、ショッピングカートＡに載せた持帰籠Ｂに上に積み重ねたうえ、付属の掛止用部材７０を、立上フレーム２０の両脚に掛止させて、ズレ落ちない様に持ち帰ることが出来る。
或いは、嵩張る割に容量の小さい持帰籠Ｂは使わずに、コンパクトに折り畳めるうえに容量も大きい、バッグＤだけを使用しても、勿論よい。
【図面の簡単な説明】
【００４０】
【図１】本発明の一実施例を示すもので、折畳式のショッピングカートを、付設の昇降補助機構は折り畳んだままで、使用状態に展開させた有様を示す斜視図である。
【図２】同上、ショッピングカートの上に、持帰籠をズレ止状態で載せた有様を示す側面図である。
【図３】同上、ショッピングカートに載せた持帰籠の上に、更に、買入籠をズレ止状態で積み重ねた有様を示す側面図である。
【図４】同上、持帰籠の斜視図で、付設の買入籠ズレ止手段の説明図を兼ねている。
【図５】同上、底フレームの折畳機構を模式的に示した側面図である。
【図６】同上、立上フレームの２つ折・固定機構を示した部分側面図である。
【図７】同上、ショッピングカートを完全に折り畳んだ状態の側面図である。
【図８】同上、昇降補助機構を使用時の展開状態で示した、ショッピングカートの斜視図である。
【図９】同上、階段個所での、昇降補助機構の機能を説明した側面図である。
【図１０】同上、ショッピングカートに付属させたバッグの斜視図である。
【図１１】同上、バッグをショッピングカートに載せた状態の側面図である。
【符号の説明】
【００４１】
Ａ  ショッピングカート
Ｂ  持帰籠
Ｃ  買入籠
Ｄ  バッグ
ａ  階段の角部
１  前輪  
２  後輪
３  車軸
４  籠本体
５  蓋
１０  底フレーム
１１  前半部
１２  後半部
１２ａ  先端部分
１３，１４  連結ピン
１５  連動用バー
２０  立上フレーム
２１  上半部
２２  下半部
２３  連結ピン
２４  グリップ
３０  昇降補助機構
３１  キャタピラ
３２  フレーム部材
３３  リンク機構
４０  ズレ止用部材
４１  前後ズレ止材
４２  左右ズレ止材
５０  買入籠ズレ止手段
５１  提げ手
５２  スライド板（提げ手固定部材）
６０  固定手段
６１  横架バー
６２  フック部材
６３  止ピン
６４  つる巻バネ
６５  バー状ハンドル
７０  掛止用部材
【図１】
2005186656.tif 000003
【図２】
2005186656.tif 000004
【図３】
2005186656.tif 000005
【図４】
2005186656.tif 000006
【図５】
2005186656.tif 000007
【図６】
2005186656.tif 000008
【図７】
2005186656.tif 000009
【図８】
2005186656.tif 000010
【図９】
2005186656.tif 000011
【図１０】
2005186656.tif 000012
【図１１】
2005186656.tif 000013